(57)【要約】【課題】扉に設けた小物入れの施解錠操作や扉自体の施解錠操作を容易に且つ施解錠忘れなく確実に行わせる。【解決手段】ロッカ等の扉２，４２を施解錠する錠装置６，４６と、扉に開閉自在に設けられた小物入れ４とを備え、錠装置の進退自在な主ロック部材１５，４８に駆動部材１６，５０の一端が当接し、小物入れを施解錠する副ロック部材１７に駆動部材の他端が当接し、駆動部材が、主ロック部材の引き込み時に副ロック部材を解錠方向に押圧し、主ロック部材の突出時に押圧を解除する小物入れ付き扉の錠機構を採用する。副ロック部材を弱いばね１８で施錠方向に付勢し、駆動部材を強いばね２６，５３で解錠方向に付勢してもよい。【選択図】図２
2008231848.tif 000002
【特許請求の範囲】
【請求項１】
ロッカ等の扉を施解錠する錠装置と、該扉に開閉自在に設けられた小物入れとを備え、該錠装置の進退自在な主ロック部材に駆動部材の一端が当接し、該小物入れを施解錠する副ロック部材に該駆動部材の他端が当接し、該駆動部材が、該主ロック部材の引き込み時に該副ロック部材を解錠方向に押圧し、該主ロック部材の突出時に該押圧を解除することを特徴とする小物入れ付き扉の錠機構。
【請求項２】
前記副ロック部材が弱いばねで施錠方向に付勢され、前記駆動部材が強いばねで解錠方向に付勢されたことを特徴とする請求項１記載の小物入れ付き扉の錠機構。
【請求項３】
前記駆動部材が一対のレバーで一体に構成され、一方のレバーが前記主ロック部材に当接し、他方のレバーが前記副ロック部材に当接することを特徴とする請求項１又は２記載の小物入れ付き扉の錠機構。
【請求項４】
前記駆動部材が回動自在に軸支されたことを特徴とする請求項１〜３の何れかに記載の小物入れ付き扉の錠機構。
【請求項５】
前記小物入れに前記副ロック部材を進入させる係合部が設けられたことを特徴とする請求項１〜４の何れかに記載の小物入れ付き扉の錠機構。
【発明の詳細な説明】
【技術分野】
【０００１】
本発明は、ロッカ等の扉に小物入れを開閉自在に設け、扉と共に小物入れを施解錠可能とした小物入れ付き扉の錠機構に関するものである。
【背景技術】
【０００２】
図７は、従来の小物入れ付き扉の一形態を示すものである（特許文献１参照）。
【０００３】
この小物入れ付き扉７２は、ロッカ装置７１の扉７２の表面にラック状の小物入れ７３を固定して設けたものである。小物入れ７３にはチラシや配布物等７４を入れることができる。扉７２内には使用者が手荷物等の収納物（図示せず）を入れて施錠をし、一時保管した後、解錠して収納物を取り出す。
【０００４】
図８は、従来の小物入れ付き扉の他の形態を示すものである（特許文献２参照）。
【０００５】
この小物入れ付き扉７６は、収納ボックス７５の扉７６の上部開口７７に小物入れ７８を垂直なヒンジ軸７９を中心に回転自在に設けたものである。小物入れ７８のトレイ部分８０は垂直な隔壁８１を介して表裏に設けられ、隔壁８１の中央の上下にヒンジ軸７９が設けられ、各ヒンジ軸７９が扉７６の開口縁の孔（図示せず）に係合している。隔壁８１の左右端が開口７７内のリブ（図示せず）に接して位置決めされる。
【特許文献１】特開２００４−９７２４４号公報（図２）
【特許文献２】実開昭６２−７８１４２号公報（図１）
【発明の開示】
【発明が解決しようとする課題】
【０００６】
しかしながら、上記従来の各小物入れ付き扉７２，７６は、小物入れ７３，７８を常時外部に露出させたものであるので、小物入れ７３，７８に貴重品を入れることはできなかった。
【０００７】
たとえ、図８の例のような小物入れ付き扉を図７の例のようなロッカ装置に適用し、小物入れを扉に対して錠機構で施解錠できるようにしたとしても、使用者は扉用のキーと小物入れ用のキーの二つを所持しなければならず、キーが嵩張ったり、キーの選択が面倒であると共に、扉と小物入れとの二つの施解錠操作をしなければならないので、荷物の収納や取り出しが面倒で、施解錠忘れも生じかねないという問題を生じてしまう。
【０００８】
本発明は、上記した点に鑑み、扉に設けた小物入れの施解錠操作や扉自体の施解錠操作を容易に且つ施解錠忘れなく確実に行うことのできる小物入れ付き扉の錠機構を提供することを目的とする。
【課題を解決するための手段】
【０００９】
上記目的を達成するために、本発明の請求項１に係る小物入れ付き扉の錠機構は、ロッカ等の扉を施解錠する錠装置と、該扉に開閉自在に設けられた小物入れとを備え、該錠装置の進退自在な主ロック部材に駆動部材の一端が当接し、該小物入れを施解錠する副ロック部材に該駆動部材の他端が当接し、該駆動部材が、該主ロック部材の引き込み時に該副ロック部材を解錠方向に押圧し、該主ロック部材の突出時に該押圧を解除することを特徴とする。
【００１０】
上記構成により、使用者が扉を閉めて錠装置を施錠操作することで、主ロック部材が突出して扉を施錠すると同時に、主ロック部材が駆動部材を押して副ロック部材の停止動作を解除して、副ロック部材が施錠方向に移動して小物入れを施錠する。使用者が小物入れを開けるべく錠装置を解錠操作することで、主ロック部材が引っ込んで扉を解錠すると同時に、駆動部材が主ロック部材の引き込み方向に移動しつつ、副ロック部材を解錠方向に押して解錠させる。
【００１１】
請求項２に係る小物入れ付き扉の錠機構は、請求項１記載の小物入れ付き扉の錠機構において、前記副ロック部材が弱いばねで施錠方向に付勢され、前記駆動部材が強いばねで解錠方向に付勢されたことを特徴とする。
【００１２】
上記構成により、使用者が扉を閉めて錠装置を施錠操作することで、主ロック部材が突出して扉を施錠すると同時に、主ロック部材が駆動部材を押して副ロック部材の停止動作を解除して、副ロック部材が弱いばねで施錠方向に付勢されて小物入れを施錠する。使用者が小物入れを開けるべく錠装置を解錠操作することで、主ロック部材が引っ込んで扉を解錠すると同時に、駆動部材が主ロック部材の引き込み方向に強いばねで付勢されて移動しつつ、副ロック部材を弱いばねの付勢に抗して解錠方向に押して解錠させる。
【００１３】
請求項３に係る小物入れ付き扉の錠機構は、請求項１又は２記載の小物入れ付き扉の錠機構において、前記駆動部材が一対のレバーで一体に構成され、一方のレバーが前記主ロック部材に当接し、他方のレバーが前記副ロック部材に当接することを特徴とする。
【００１４】
上記構成により、主ロック部材の施解錠操作時に一方のレバーと他方のレバーとが一体に回動して副ロック部材を施解錠させる。各レバーの長さや開角度等は主ロック部材と副ロック部材等の位置に応じて適時設定される。
【００１５】
請求項４に係る小物入れ付き扉の錠機構は、請求項１〜３の何れかに記載の小物入れ付き扉の錠機構において、前記駆動部材が回動自在に軸支されたことを特徴とする。
【００１６】
上記構成により、主ロック部材の施解錠操作時に一方のレバーと他方のレバーとが軸部を支点に一体に回動して副ロック部材を施解錠させる。軸部の位置は主ロック部材と副ロック部材等の位置に応じて適時設定される。
【００１７】
請求項５に係る小物入れ付き扉の錠機構は、請求項１〜４の何れかに記載の小物入れ付き扉の錠機構において、前記小物入れに前記副ロック部材を進入させる係合部が設けられたことを特徴とする。
【００１８】
上記構成により、主ロック部材の施錠時に副ロック部材が小物入れの係合部に進入係合して小物入れを施錠させ、主ロック部材の解錠時に副ロック部材が小物入れの係合部から離脱して小物入れを解錠させる。係合部としては孔部や凹部等が好ましい。主ロック部材としてはタング、副ロック部材としてはピン等が好ましい。
【発明の効果】
【００１９】
請求項１記載の発明によれば、使用者が扉の小物入れに盗難の心配なく小物を入れることができることは勿論のこと、扉と小物入れとの施錠や解錠を一つのキー等で同時に行わせることができるから、施解錠操作が容易で、使用者の負担が少なく、施錠忘れが防止され、キーの嵩張りも抑止される。
【００２０】
請求項２記載の発明によれば、各ばねの作用で小物入れの施解錠動作がスムーズ且つ正確に行われ、施解錠の信頼性が高まる。
【００２１】
請求項３記載の発明によれば、主ロック部材や副ロック部材の配置に応じて各レバーの長さや開角度等を適宜設定することで、種々の形態のロッカ等に適用することができる。
【００２２】
請求項４記載の発明によれば、軸部を支点に駆動部材を回動させることで、安定した施解錠操作を行わせることができる。
【００２３】
請求項５記載の発明によれば、主ロック部材の施解錠時に副ロック部材が小物入れの係合部に係合ないし離脱することで、小物入れの施解錠がスムーズ且つ確実に行われる。
【発明を実施するための最良の形態】
【００２４】
図１〜図３は、本発明に係る小物入れ付き扉の錠機構の第一の実施形態を示すものである。
【００２５】
図１（ａ）（ｂ）の如く、コインロッカ（ロッカ装置）１の扉２に設けた矩形状の開口３に小物入れ４が下部側のヒンジ軸５を中心に前後方向に回動（開閉）自在に設けられ、小物入れ４は扉２の錠装置６の施解錠操作で同時に施解錠されるようになっている。錠装置６は扉２の周囲の右側の枠壁７に縦長に配置されている。錠装置６の左側に隣接して小物入れ４が配置されている。扉２は左端の上下のヒンジ（図示せず）を支点に左方向に回動して開く。
【００２６】
小物入れ４は、略三角形状の両側壁８と前後の壁部９，１０とで囲まれた収容室を有し、両側壁８の下部に水平なヒンジ軸５を有し、右側の側壁８の上部に施錠用の孔部１１を有し、前壁９に取っ手１２を有している。例えば後壁１０は前壁９よりも上方に長く延長されて開口内端縁３ａに当接するストッパ部となっている。図１で鎖線は収容室に財布１３を入れる状態を示している。扉２内に手荷物（図示せず）を収納した後、扉２を一々開けることなく財布１３等の小物をロッカ１内に容易に収納することができる。
【００２７】
図２は、ロッカ１の扉２と小物入れ４とを閉めた状態で、扉２を施錠すると同時に、小物入れ４が施錠された状態を示している。
【００２８】
キー１４の回動操作で既存の錠装置６のタング（主ロック部材）１５が突出して扉２をロックさせ、それと同時に、タング１５に押された略レの字状の駆動部材１６が水平なロックピン（副ロック部材）１７の停止を解除して、ロックピン１７を圧縮コイルばね１８（弱い第一のばね）の力で突出させて、扉２の開口３の端壁１９の孔部（係合部）２０と、小物入れ４の側壁８の孔部（係合部）２１とに進入係合させている。タング１５は扉２の側壁２２の孔部２３ないし凹部に進入係合している。
【００２９】
駆動部材１６は、タング寄りの短いレバー（アーム）２４と、小物入れ寄りの長いレバー（アーム）２５と、両レバー２４，２５を一体的に解錠方向に付勢する捩り巻きばね２６（強い第二のばね）とで構成されている。
【００３０】
両レバー２４，２５は図２の開き角度を維持したままで相互に固定されている。捩り巻きばね２６の力は、小物入れ施解錠用のロックピン１７を付勢する圧縮コイルばね１８の力よりも強く設定されている。捩り巻きばね２６の一端は両レバー２４，２５を時計回りにタング側に付勢し、捩り巻きばね２６の他端は扉２の内壁側（図示せず）に支持されている。捩り巻きばね２６に代えて板ばね等を用いることも可能である。
【００３１】
両レバー２４，２５の下部側の交差部には例えば孔部２７が貫通して設けられ、扉２の内壁（図示せず）に設けた水平な軸部２８が孔部２７に係合することで、両レバー２４，２５が扉２の内壁に回動自在に支持されている。両レバー２４，２５の交差部に軸部２８を設け、扉２の内壁に孔部２７を設けることも可能である。軸部２８の周囲に捩り巻きばね２６の巻き部２６ａが位置している。
【００３２】
軸部２８の斜め上方において扉２の厚み方向の前後壁内にストッパ用のピン２９が水平に設けられ、図１の施錠時に短いレバー２４の先端部２４ａの外側面がタング１５の先端に当接しつつタング１５で押されて、短いレバー２４の基端側の外側面がピン２９から小物入れ寄りに離間し、短いレバー２４と一体に長いレバー２５が小物入れ側に回動している。
【００３３】
長いレバー２５の先端部２５ａは略くの字状に屈曲され、先端部２５ａの外側面を扉２の開口３の端壁１９に当接させ、先端部２５ａの内側面にロックピン１７の先端部１７ａと一体の鍔部３０の外端面を当接ないし近接させている。ロックピン１７の基端部はガイド板（ガイド部）３１の中央の孔部３１ａにスライド自在に挿通して支持され、ガイド板３１は扉２の内壁に固定されている。
【００３４】
図２において、タング１５が突出して扉２の孔部２３ないし凹部に係合して扉２を施錠し、タング１５の突出方向に押された両レバー２４，２５が小物入れ４に向けて反時計回りに回動し、ロックピン１７がコイルばね１８の力で左方向に突出して、扉２の開口３の端壁１９の孔部２０と小物入れ４の一側壁８の孔部２１とに貫通係合して、小物入れ４を施錠している。小物入れ４の下部両側のヒンジ軸５は扉２の開口端壁１９の孔部３２に回動自在に係合している。
【００３５】
錠装置６は一般に使用されているもので、矩形箱状のケース３３の上部にコイン投入口３４とそれに続く検銭機構（図示せず）と管理錠３５とを有し、ケース３３の下部にキー差込孔を含むシリンダ錠３６を有し、コイン投入後のキー１４の回動操作でシリンダ錠３６とそれに続くレバー（図示せず）が回ってタング１５を外側に突出させて施錠する。解錠時には、開いた保持板（図示せず）からコインが落下してロッカ装置１の下部に収容される。シリンダ錠３６に代えてソレノイド駆動の電気錠等（図示せず）でタング１５を進退させることも可能である。
【００３６】
図３は、ロッカ１の扉２を解錠すると同時に、小物入れ４が解錠された状態を示している。
【００３７】
図２とは逆向きのキー１４の回動操作で錠装置６のタング１５が引っ込んで扉２のロックを解除させ、それと同時に、駆動部材１６が捩り巻きばね２６の力でタング１５の引っ込み方向（時計回り）に回動し、長いレバー２５がロックピン１７をコイルばね１８の付勢力に抗して右方向に押して後退させ、ロックピン１７が小物入れ４の側壁８の孔部２１と開口端壁１９の孔部２０から抜け出て、小物入れ４のロックが解除される。
【００３８】
短いレバー２４は捩り巻きばね２６の力でタング１５の先端１５ａに押接しつつ回動してストッパピン２９に当接し、それ以上の回動が阻止される。長いレバー２５は短いレバー２４と一体に回動し、捩り巻きばね２６の力でロックピン１７の鍔部３０を押して円柱状のロックピン本体（符号１７で代用）をガイド板３１の孔部３１ａに沿って右方向に後退させる。コイルばね１７はガイド板３１と鍔部３０との間で圧縮される。コイルばね１７の力は弱く、捩り巻きばね２６の力は強い。
【００３９】
このようにして、扉２の施錠と同時に小物入れ４の施錠が行われ、扉２の解錠と同時に小物入れ４の解錠が行われる。キー１４は錠装置用の一つのみで済むので、嵩張らずに携帯が楽である。また、一回の施錠ないし解錠操作で扉２と小物入れ４との両方を施錠ないし解錠することができるので、操作が楽である。
【００４０】
図４〜図６は、本発明に係る小物入れ付き扉の錠機構の第二の実施形態を示すものである。上記第一の実施形態と同様の構成部分には同じ符号を付して説明する。
【００４１】
図４（ａ）（ｂ）の如く、鍵式ロッカ（ロッカ装置）４１の扉４２に設けた矩形状の開口４３に小物入れ４が下部側のヒンジ軸５を中心に前後方向に回動（開閉）自在に設けられ、小物入れ４は扉４２の錠装置４６の施解錠操作で同時に施解錠されるようになっている。錠装置４６は扉４２に配置されている。錠装置４６の右上に小物入れ４が配置されている。扉４２は右端上下のヒンジ（図示せず）を支点に右方向に回動して開く。
【００４２】
小物入れ４は、略三角形状の両側壁８と前後の壁部９，１０とで囲まれた収容室を有し、両側壁８の下部に水平なヒンジ軸５を有し、左側の一側壁８の上部に施錠用の孔部１１を有し、前壁９に取っ手１２を有している。例えば後壁１０は前壁９よりも上方に長く延長されて開口内端縁４３ａに当接するストッパ部となっている。図４で鎖線は収容室に小物として携帯電話４４を入れる状態を示している。
【００４３】
図５は、ロッカ４１の扉４２と小物入れ４とを閉めた状態で、扉４２を施錠すると同時に、小物入れ４が施錠された状態を示している。
【００４４】
キー４５の回動操作で既存の錠装置４６のタング（主ロック部材）４８が突出して、扉４２（図４）の周囲左側の枠壁４７の孔部ないし凹部（図示せず）に進入係合することで扉４２をロックさせ、それと同時に、タング４８に押された略くの字状の駆動部材５０が水平なロックピン（副ロック部材）１７の停止を解除して、ロックピン１７を圧縮コイルばね１８の力で突出させて、扉４２の開口４３の端壁１９の孔部（係合部）２０と小物入れ４の側壁８の孔部（係合部）２１とに進入係合させている。タング４８は扉４２の外側の枠壁４７（図４）の孔部ないし凹部に進入係合している。
【００４５】
駆動部材５０は、タング寄りの短いレバー（アーム）５１と、小物入れ寄りの長いレバー（アーム）５２と、両レバー５１，５２を一体的に解錠方向に付勢する捩り巻きばね５３とで構成されている。
【００４６】
両レバー５１，５２は図５の開き角度を維持したままで相互に固定されている。捩り巻きばね５３の力は、小物入れ施解錠用のロックピン１７を付勢する圧縮コイルばね１８の力よりも強く設定されている。捩り巻きばね５３の一端は両レバー５１，５２を反時計回りに付勢し、捩り巻きばね５３の他端は扉４２の内壁側（図示せず）に支持されている。捩り巻きばね５３に代えて板ばね等を用いることも可能である。
【００４７】
例えば、両レバー５１，５２の交差部５４に孔部を設け、扉４２の内壁（図示せず）に設けた水平な軸部（図示せず）を孔部に係合して、両レバー５１，５２を扉４２の内壁に回動自在に支持させる。両レバー５１，５２の交差部５４に軸部を設け、扉内の内壁に孔部を設けてもよい。軸部の周囲に捩り巻きばね５３の巻き部５３ａが位置する。
【００４８】
短いレバー５１の先端部５１ａは円形部ないし水平な円柱部となって、タング４８の先端４８ａ（図６の解錠時）から上面４８ｂ（図５の施錠時）にかけて摺動自在に当接する。図５において短いレバー５１の先端部５１ａが捩りコイルばね５３の付勢力に抗してタング４８の上面４８ｂに押接し、長いレバー５２の略くの字状に屈曲した先端部５２ａの外面が開口端壁１９に当接して、圧縮コイルばね１８の付勢によるロックピン１７の施錠方向（右方向）の前進を許容している。
【００４９】
長いレバー５２の先端部５２ａの内面にはロックピン１７の先端部１７ａと一体の鍔部３０の外端面が当接ないし近接している。ロックピン１７の基端部はガイド板（ガイド部）３１の中央の孔部３１ａにスライド自在に挿通して支持され、ガイド板３１は扉４２の内壁（図示せず）に固定されている。
【００５０】
図５において、タング４８が突出して枠壁４７（図４）の孔部ないし凹部（図示せず）に係合して扉４２を施錠し、タング４８の突出方向（時計回り）に短いレバー５１が押されて、長いレバー５２が交差部５４を中心に小物入れ４に向けて時計回りに回動し、ロックピン１７がコイルばね１８の力で右方向に移動（突出）して、扉４２の開口端壁１９の孔部２０と小物入れ４の一側壁８の孔部２１とに貫通係合して、小物入れ４を施錠している。小物入れ４の下部両側のヒンジ軸５は扉４２の開口４３の端壁１９の孔部３２に回動自在に係合している。
【００５１】
錠装置４６は一般に使用されているもので、矩形箱状のケース５５にキー差込孔を含むシリンダ錠５６を有し、キー４５の回動操作でシリンダ錠５６とそれに続くレバー（図示せず）が回ってタング４８を外側に突出させて施錠する。シリンダ錠５６に代えてソレノイド駆動の電気錠等でタング４８を進退させることも可能である。
【００５２】
図６は、ロッカ４１の扉４２を解錠すると同時に、小物入れ４が解錠された状態を示している。
【００５３】
図５とは逆向きのキー４５の回動操作で錠装置４６のタング４８が引っ込んで扉４２のロックを解除させ、それと同時に、駆動部材５０が交差部５４を支点に捩り巻きばね５３の力でタング４８の引っ込み方向（反時計回り）に回動し、長いレバー５２がロックピン１７をコイルばね１８の付勢力に抗して左方向に押して後退させ、ロックピン１７が小物入れ４の孔部２１と開口端壁１９の孔部２０から抜け出て、小物入れ４のロックが解除され、小物入れ４を開き可能となる。
【００５４】
短いレバー５１は捩り巻きばね５３の力でタング４８の先端上部４８ａに押接しつつ回動する。図６よりも短いレバー５１を長く延長して、その先端部５１ａをタング４８の先端上部ではなく先端中央４８ａに当接させることも可能である。長いレバー５２は短いレバー５１と一体に回動し、捩り巻きばね５３の力でロックピン１７の鍔部３０を押して円柱状のロックピン本体（１７）をガイド板３１の孔部３１ａに沿って左方向に後退させる。コイルばね１８はガイド板３１と鍔部３０との間で圧縮される。コイルばね１８の力は弱く、捩り巻きばね１８の力は強い。
【００５５】
このようにして、扉４２の施錠と同時に小物入れ４の施錠が行われ、扉４２の解錠と同時に小物入れ４の解錠が行われる。キー４５は錠装置用の一つで済むので、嵩張らずに携帯が楽である。また、一回の施錠ないし解錠操作で扉４２と小物入れ４との両方を施錠ないし解錠することができるので、操作が楽である。
【００５６】
なお、上記各実施形態においては、小物入れ４をヒンジ５で回動式としたが、例えば引出しのようにスライド式とすることも可能である。また、上記各実施形態においては、駆動部材１６，５０とロックピン１７とを各ばね１８，２６で付勢したが、ばね１８，２６に代えて他の付勢手段（図示せず）で付勢したり、付勢手段を用いずに、タング１５とロックピン１７とに駆動部材１６，５０を一体的に連結して、小物入れ４の施解錠動作を行わせることも可能である。
【図面の簡単な説明】
【００５７】
【図１】本発明における小物入れ付き扉の第一の実施形態を示す、（ａ）は全体正面図、（ｂ）は小物入れを開けた状態の要部斜視図である。
【図２】小物入れ付き扉の錠機構の第一の実施形態の施錠状態を示す正面図である。
【図３】小物入れ付き扉の錠機構の第一の実施形態の解錠状態を示す正面図である。
【図４】本発明における小物入れ付き扉の第二の実施形態を示す、（ａ）は全体正面図、（ｂ）は小物入れを開けた状態の要部斜視図である。
【図５】小物入れ付き扉の錠機構の第二の実施形態の施錠状態を示す正面図である。
【図６】小物入れ付き扉の錠機構の第二の実施形態の解錠状態を示す正面図である。
【図７】従来の小物入れ付き扉の一形態を示す斜視図である。
【図８】従来の小物入れ付き扉の他の形態を示す斜視図である。
【符号の説明】
【００５８】
１，４１                ロッカ
２，４２                扉
４                      小物入れ
６，４６                錠装置
１５，４８              タング（主ロック部材）
１６，５０              駆動部材
１７                    ロックピン（副ロック部材）
１８                    弱いばね
２１                    孔部（係合部）
２４，２５、５１，５２  一対のレバー
２６，５３              強いばね
【図１】
2008231848.tif 000003
【図２】
2008231848.tif 000004
【図３】
2008231848.tif 000005
【図４】
2008231848.tif 000006
【図５】
2008231848.tif 000007
【図６】
2008231848.tif 000008
【図７】
2008231848.tif 000009
【図８】
2008231848.tif 000010